(57)【特許請求の範囲】
【請求項１】
ケーブルａを導入し導出する開口部１１  のあるケーブル導入出部１が内側面にテーパー状の対向面を有する断面コ字状のケース本体２に備えられ、前記対向面に係止爪２２  を複数突設し、外側面に凹溝２３  を設けたガイド凹部２１  をケース本体２に形成すると共に、ケーブル導入出部１に入るケーブルａを弾性的に係止爪３３  によって挟持する断面コ字状の係止部材３１  が連結片３２  の両端に一体成形され、両係止部材３１  を係脱自在に嵌合保持する構成とからなるケーブル把持具３を前記ケース本体２の係止爪２２  に挟持し、さらにケース本体２の前記ガイド凹部２１  にカバー体４を着脱自在に装着してケース本体２に前記ケーブル把持具３を抱持し、かつ該カバー体４またはケース本体２に磁石５または壁面取付片７の壁面固定手段を備えたことを特徴とするケーブル固定具。
【発明の詳細な説明】
【０００１】
【発明の属する技術分野】
本発明は、事務所、工場、一般住宅の家屋、その他の建物などの屋内外に配線される通信回線用の光ファイバケーブル、メタルケーブル、或いは電源コードなど（以下ケーブルという）を壁面またはデスク、その他の家具面に固定するためのケーブル固定具で、光通信用の端末機器と接続後のケーブル配置処理を安全に行うことができるケーブル固定具に関するものである。
【０００２】
【従来の技術】
一般に、建物の屋内では屋内配線により壁面に導入されたケーブルに、その屋内で使用される光通信用端末機器が接続されてインターネットなどの情報通信、電話回線、ケーブルテレビその他の通信回線を利用することができるが、光通信端末機器の設置に際して、配線ケーブルは光通信の特性、特に光ファイバケーブルの信号伝送特性を十分に満足させることが配慮されなければならない。
【０００３】
【発明が解決しようとする課題】
ところが、従来でのオフィスや住居などの屋内における光通信端末機器の配置は様々で、光コンセントからの接続一つをとってみてもケーブル配線に不都合が生じ、光通信の特性を満足することができず、光通信損失があって端末処理に適合しないことが多く、ケーブル配線工事の作業も煩雑で、しかも端末機器の配置転換や保守修理など、移動や増設ごとその都度配線工事をすることが必要となって面倒であるばかりでなく、光信号損失がないように安全に利用することが維持できないし、ケーブルの配線上でも体裁も悪いなど問題があった。
本発明では、これら従来の欠点を排除しようとするもので、ケーブルの配線接続作業を容易にし、光ケーブルの場合にも光通信の特性を十分満足でき、配線工事での工数も少なくケーブル固定もでき、光通信端末機器類への接続配線取扱いも著しく簡便化でき、配線工事の適正化にも役立って信頼性のあるケーブル固定具を低コストで提供することを目的としている。
【０００４】
【課題を解決するための手段】
本発明は、  ケーブルを導入し導出する開口部のあるケーブル導入出部が内側面にテーパー状の対向面を有する断面コ字状のケース本体に備えられ、前記対向面に係止爪を複数突設し、外側面に凹溝を設けたガイド凹部をケース本体に形成すると共に、ケーブル導入出部に入るケーブルを弾性的に係止爪によって挟持する断面コ字状の係止部材が連結片の両端に一体成形され、両係止部材を係脱自在に嵌合保持する構成とからなるケーブル把持具を前記ケース本体の係止爪に挟持し、さらにケース本体の前記ガイド凹部にカバー体を着脱自在に装着してケース本体に前記ケーブル把持具を抱持し、かつ該カバー体またはケース本体に磁石または壁面取付片の壁面固定手段を備えたもので、ケーブル把持具を係合保持しやすくしケーブルの抜け防止が確実にでき光信号損失がなく配線接続作業を簡単確実に行うことができるし、
【０００５】
また本発明では、ケーブル把持具が前記ケーブル導入部に嵌支できることにより、配線工事の工数も少なく簡単な操作でケーブル固定が確実にでき、安全性を高め信頼性のあるケーブル接続が可能となる。
【０００６】
さらに本発明では、ケーブル固定具において、前記ケーブル把持具の係止部材に、ケーブル導出入部に形成した係止爪と係合する係止爪を突設して備えたことと、前記カバー体に設けた壁面固定手段が鉄材面に吸着する磁石或いは壁面取付片や壁面定着用の接着部材からなることで、光通信端末機器類への接続配線取扱いを著しく簡便化でき、配線工事の適正均一化を寄与できる。
【０００７】
このケーブル支持用のケース本体では、テーパー状に対向面を有するケーブル導入部を備えて、各対向面に係止爪を複数突設した粗面で前記ケーブル把持具を保持したことで、ケーブルの把持を確実にし、信号伝送特性を十分満足させて光ケーブルの接続または分離時に容易に着脱することができ、光ケーブルを機械的にも安定した状態で固定配置することができる。
【０００８】
さらにまた本発明では、前記ケース本体は、壁面取付用部材としてネジによりネジ止めできる取付片或いは鉄材面に吸着する磁石或いは壁面定着用の接着部材例えば両面接着テープを備えており、カバー体は、前記ケーブル支持用のケース本体の表面開口部を被覆する金属材により形成した断面コ字状の蓋体であって、ケース本体に設けた嵌挿用ガイド凹部に着脱自在に装着し、必要に応じ係止孔或いは係止爪に係脱できる係合部を対向配備した構成により、配線固定が容易で安定した状態での配置ができ、室内での体裁を良好にすると共に、取付け配線工事も簡単な操作で行えて、端末機器類を容易に着脱自在に接続することができる。
【０００９】
【発明の実施の形態】
この発明に係るケーブル固定具の実施例を図１乃至図４の例を用いて説明すると、ケーブルａを導入し導出する開口部１１  のあるケーブル導入出部１が内側面にテーパー状の対向面を有する断面コ字状のケース本体２に備えられ、前記対向面に係止爪２２  を複数突設し、外側面に凹溝２３  を設けたガイド凹部２１  をケース本体２に形成すると共に、ケーブル導入出部１に入るケーブルａを弾性的に係止爪３３  によって挟持する断面コ字状の係止部材３１  が連結片３２  の両端に一体成形され、両係止部材３１  を係脱自在に嵌合保持する構成とからなるケーブル把持具３を前記ケース本体２の係止爪２２  に挟持し、さらにケース本体２の前記ガイド凹部２１  にカバー体４を着脱自在に装着してケース本体２に前記ケーブル把持具３を抱持し、かつ該カバー体４に壁面固定手段としての磁石５を備えた構成としてある。
【００１０】
この例では、ケーブル支持用の前記ケース本体２では、図２及び図３に示すように形成されるケーブル導入出部１は、開口部１１  を形成してケース本体２の内側面にテーパー状に対向面を有し、該対向面に係止爪２２  を複数突設して、前記ケーブル把持具３を係合保持しやすくして抜け防止が確実にできるようにしてある。
また、ケース本体２が断面略コ字状のケースであるので外側面に肉盗み凹溝２３  を適宜設けるのがケース本体２の内側面に複数の係止爪を突設しても成形性良好な形態で安価に製作できる形態となる。
さらにケース本体２またはカバー体４には、壁面取付用の固定手段としてスチールデスク、パネルなどの鉄材面に吸着する磁石５或いは、壁面定着用の両面接着テープなどの接着部材を備え、屋内壁面またはデスクなどに取付けやすくしてあるが、ネジによりネジ止めできる壁面取付片７を付設することもできる。
この場合、前記磁石５はカバー体４の側面側或いはケース本体２の裏面側に取付枠６を介して備えるのがよく、また接着部材では接着テープ或いは接着材層をカバー体４或いはケース本体２の適所に直接接着して備えるのが好ましい。
【００１１】
前記カバー体４は、前記ケース本体２の表面開口部を被覆する金属材或いは硬質プラスチック材より形成した断面略コ字状の蓋体であって、嵌挿用のガイド凹部２１  から挿入し、ケース本体２を拘持してケーブル把持具３が弛まないようにし、ケーブル支持を強固にする。このカバー体４はケース本体２に押圧挟持してあるが、必要に応じケース本体２とカバー体４とに対向配備した係止用凹凸の係止部で係脱できるようにして、カバー体４の脱着がしやすくするのもよい。
また、前記カバー体４をケース本体２に設けたガイド凹部２１  に嵌挿すれば、剛性によってケース本体２の両側壁の拡がりを防止し、ケーブル把持具３とともに拘持定着状態の維持が確実となることに役立っている。さらに、このカバー体４の側面を含む適所に設けられる壁面固定手段としては、磁石５やネジによりネジ止め可能のネジ孔のある取付片７或いは接着材層が用いられ、前記ケース本体２に設けられる壁面固定手段と併用したり、どちらに一方に選んだ壁面固定手段でケース本体２を壁面に固着するのがよい。
【００１２】
以上の構成からなるケーブル支持用のケース本体２において、ケーブル導入部１の開口部１１  から入るケーブルａは、ケーブル把持具３の係止部材３１  ，３１  で挟持された状態でケーブル導入部１に嵌挿され、カバー体４を被覆すればケーブル把持具３とともに確実に拘持される。
そして、このケーブルａを支持したケース本体４を建物室内壁面に固定手段例えば磁石５により取付ける簡単な操作で、デスク或いはフロアへの取付配線工事を行うことができるし、ケース本体２にカバー体４を被覆結合してケーブル把持具３が露出しないようにして保護し、体裁上見ばえのよい状態として用いることができるほか、保守或いはケーブル分離時に、ケーブルの脱着が容易に行え配線の便宜を図ることができる。
【００１３】
前記ケーブル把持具３としては、図４に示す如く、ケース本体２に挿通されるケーブルａを弾性的に挟持するプラスチックにより形成される断面コ字状の係止部材３１  ，３１  を連結片３２  の両端に一体成形され、対向面に係止爪３３  を突設して凹凸面とし、両係止部材３１  ，３１  を係脱自在に嵌合保持する構成とし、前記ケース本体２のケーブル導入部１の対向面間に嵌入されて係止爪２２  で強固に保持されるようになっている。
【００１４】
この場合、一方の係止部材３１  に嵌挿用ガイド凹部３４  を形成し、他方の係止部材３１  を向かい合わせに嵌入して、ケーブルａを挟持するようにするのがよく、また一方或いは両方の係止部材３１  の外側面に係止爪３５  を突設してケーブル導入部１の係止爪２２  からなる粗面と係合してすべり止め、抜け防止に役立たせるのがよい。
【００１５】
以上のケーブル固定具の使用に際しては、図５の如く、スチールデスクＢ上に載置される端末機器Ａの配線には、ケース本体２にケーブル導入部１の一方側からケーブルａを入れて、他方側から出し、ケーブルに嵌着したケーブル把持具３をケーブル導入部１１  に介在させ、カバー体４を被覆させれば心線がケース本体２に擦れることが防ぎ得て、引張衝撃などをも確実に防止することができ、このケース本体２をカバー体４などにある磁石５などの接着部材で前記デスクＢの脇に固着すれば安全な配線ができる。
【００１６】
図６乃至図８の実施例では、前記ケース本体２に舌片状の壁面取付片７を一体に成形した固定手段を備えたもので、ネジ挿入用の係合溝８或いはネジ孔を介してネジ９によって、屋内壁面に着脱自在に固着できるようにしてある。
この場合、前記壁面取付片７は、ケース本体２の一側面に突設してあるが、壁面に対面する背面、上下面など適宜選んで壁面に沿った面に備えられる。なお、前記カバー体４に設けられる壁面固定手段の取り合いから、いずれか一つの固定手段としたり併用タイプとすることが選べ、屋内環境に対応した壁面固定手段を用いて固着するのがよい。
【００１７】
【発明の効果】
本発明の、請求項１の発明によれば、ケーブルの配線作業を容易にし、配線工事での工数も少なくケーブル固定も迅速にでき、光通信端末機器類への接続配線取扱いも著しく簡便化でき、配線工事の適正化に寄与し、配線の適宜を図ることができる。
また、本発明によれば、ケーブル把持具が、ケーブル支持用のケース本体に挿通されるケーブルを弾性的に挟持するプラスチックにより形成される断面コ字状の係止部材を連結片の両端に一体成形され、両係止部材を係脱自在に嵌合保持する構成とし、前記ケーブル導入部に嵌支することができるので、ケーブルがケース本体のケーブル導入部を通るときに心線に対する引張衝撃などをも確実に防止でき、各配線の干渉もなくした安全な配線ができるし、配線管理や組立分離作業も容易に行えて、信頼性も高められる。
さらにまた、本発明によれば、ケーブルを導入し導出する開口部のあるケーブル導入出部が内側面にテーパー状の対向面を有する断面コ字状のケース本体に備えられ、前記対向面に係止爪を複数突設し、外側面に凹溝を設けたガイド凹部をケース本体に形成して、該ガイド凹部にカバー体を着脱自在に装着してケース本体に前記ケーブル把持具を抱持するので、ケース本体の内側面に複数の係止爪を突設しても成形性良好な形態で安価に製作できるし、ケーブルのケース本体への収納が収まり良くでき収納取扱いにも余裕があり、しかも心線の保持も緩衝的に行われているので、心線に弛みが生じないし、ケーブルの屋内配線固定が確実にできケーブルに無理な屈曲や小円弧が発生することなく光損失をなくして伝送特性を良好に保つことができるほか、光通信を利用するときに簡単な操作でその端末を着脱自在に接続することができ作業効率を大幅に向上でき、取付け配線工事も体裁良好で安全に行うことができ、しかもケース本体の広がりをカバー体の剛性で防止し、ケーブル把持具の拘持を的確化しケーブル固定維持に寄与している。
【図面の簡単な説明】
【図１】  本発明の実施例を示すケーブル固定具の使用状態の縦断面図である。
【図２】  図１の例のケース本体とカバー体を示し、（ａ）はカバー体を取除いて内部を示すケース本体の正面図、（ｂ）はカバー体を分離状態とした斜視図、（ｃ）はその側面図、（ｄ）はその平面図である。
【図３】  図２の例の斜視図を示し、（ａ）は組込状態の斜視図、（ｂ）はその分離状態を示す斜視図、（ｃ）はＡ−Ａ線における縦断面図である。
【図４】  図１の例のケーブル把持具を示し、（ａ）はその平面図、（ｂ）はその縦断面図、（ｃ）はその正面図である。
【図５】  図１のケーブル固定具の一使用状態の斜視図である。
【図６】  本発明の他の実施例を示すケーブル固定具の一使用状態の縦断面図である。
【図７】  図６の例のケース本体とカバー体を示し、（ａ）はカバー体を取除いて内部を示すケース本体の正面図、（ｂ）はカバー体を分離状態とした斜視図、（ｃ）はその側面図、（ｄ）はその平面図である。
【図８】  図７の例の斜視図を示し、（ａ）は組込状態の斜視図、（ｂ）はその分離状態を示す斜視図、（ｃ）はＢ−Ｂ線における縦断面図である。
【符号の説明】
ａ    ケーブル
１    ケーブル導入出部
１１    開口部
１２    係止爪
２    ケース本体
２１    ガイド凹部
２２    係止爪
２３    凹溝      
３    ケーブル把持具
３１    係止部材
３２    連結片
３３    係止爪
３４    ガイド凹部
３５    係止爪
４    カバー体
５    磁石
６    取付枠
７    壁面取付片
８    係合溝
９    ネジ
【図１】
0004052877.tif 000002
【図２】
0004052877.tif 000003
【図３】
0004052877.tif 000004
【図４】
0004052877.tif 000005
【図５】
0004052877.tif 000006
【図６】
0004052877.tif 000007
【図７】
0004052877.tif 000008
【図８】
0004052877.tif 000009